(57)【要約】【課題】再利用するために記憶している画像から機密情報が漏洩することを防ぐ。【解決手段】クライアント装置は、送信する画像中の特定領域およびその処理方法を指定して、処理情報を作成する。画像と処理情報とからジョブを生成し、画像処理装置に送信する。画像処理装置は、画像をファクシミリ送信する。処理情報にしたがって、特定領域内の特定画像を消去する処理を行う。処理情報と処理後の画像を記憶部に記憶する。再送信するとき、記憶部から画像を読み出し、処理情報にしたがって特定領域に日付等の文字列の画像を付加する編集を行う。編集後の画像をファクシミリ送信する。【選択図】図２
2008294521.tif 000002
【特許請求の範囲】
【請求項１】
画像を生成するクライアント装置と、クライアント装置から入力された前記画像を外部に出力するとともに、記憶部に前記画像を記憶し、記憶している前記画像を再び出力する画像処理装置とから構成された画像出力システムであって、画像処理装置は、前記画像中の特定領域がわからなくなるように特定領域を処理する画像処理部を備え、特定領域を処理した画像が記憶部に記憶されることを特徴とする画像出力システム。
【請求項２】
画像処理装置は、記憶部に記憶している画像を出力するとき、特定領域を編集する再画像処理部を備え、編集後の画像を出力することを特徴とする請求項１記載の画像出力システム。
【請求項３】
画像処理部は、特定領域の画像を消去する処理を行い、再画像処理部は、特定領域に新たな画像を付加することを特徴とする請求項２記載の画像出力システム。
【請求項４】
クライアント装置は、特定領域を指定するとともに処理方法を指定する指定部を備え、特定領域および処理方法に関する処理情報を画像とともに画像処理装置に出力し、画像処理装置は、記憶部に処理情報を記憶することを特徴とする請求項２または３記載の画像出力システム。
【請求項５】
指定部は、決められたパターン画像が存在する領域を検出して、その領域を特定領域に指定することを特徴とする請求項４記載の画像出力システム。
【請求項６】
再画像処理部は、特定領域を処理した画像に対し、指定された処理方法にしたがって特定領域を編集することを特徴とする請求項４記載の画像出力システム。
【請求項７】
再画像処理部は、画像を再出力するとき、再出力に必要な画像を特定領域に付加することを特徴とする請求項４記載の画像出力システム。
【請求項８】
クライアント装置は、画像を表示する表示部を備え、指定部は、表示された画像において特定領域を指定し、特定領域の種類を決めることを特徴とする請求項４記載の画像出力システム。
【請求項９】
再画像処理部は、特定領域の種類に応じた処理方法にしたがって特定領域を編集することを特徴とする請求項８記載の画像出力システム。
【請求項１０】
入力された画像を外部に出力するとともに、記憶部に前記画像を記憶し、記憶している前記画像を再び出力する画像処理装置であって、入力された画像中の特定領域がわからなくなるように特定領域を処理する画像処理部と、記憶部に記憶している画像を出力するとき、特定領域を編集する再画像処理部とを備え、画像処理部により処理された画像を記憶部に記憶し、記憶部から読み出されて再画像処理部により編集された画像を出力することを特徴とする画像処理装置。
【請求項１１】
特定領域および処理方法に関する処理情報が記憶部に記憶され、再画像処理部は、処理情報にしたがって、特定領域を編集することを特徴とする請求項１０記載の画像処理装置。
【請求項１２】
画像処理部は、特定領域の画像を消去する処理を行い、再画像処理部は、特定領域に新たな画像を付加することを特徴とする請求項１１記載の画像処理装置。
【発明の詳細な説明】
【技術分野】
【０００１】
本発明は、入力された画像をファクシミリ通信あるいはデータ通信により外部に出力する画像処理装置を有する画像出力システムに関する。
【背景技術】
【０００２】
通常、ファクシミリ通信を行う画像処理装置では、パソコン等のクライアント装置において生成された画像が入力され、指定された宛先に画像がファクシミリ送信される。送信した画像は消去され、画像処理装置には画像は残らない。しかし、この画像を再送信したい場合、再度画像を入力しなければならない。
【０００３】
そこで、特許文献１には、ファックスデータの送付状と本文のうち、本文だけを記憶部に記憶しておくことが記載されている。この本文を再利用すれば、容易に再送信することができる。
【特許文献１】特開２００２−２９０６５８号公報
【発明の開示】
【発明が解決しようとする課題】
【０００４】
画像処理装置が再送信のために記憶する画像には、個人情報等の機密情報が含まれている場合がある。画像がそのまま記憶されていると、第３者による不正な使用によって、画像処理装置から画像が取り出されるおそれがある。これによって、機密情報が漏洩してしまい、セキュリティ上問題がある。
【０００５】
本発明は、上記に鑑み、再送信するために画像を記憶するとき、機密情報の漏洩のおそれがないように処理して記憶できる画像処理装置を有する画像出力システムの提供を目的とする。
【課題を解決するための手段】
【０００６】
本発明は、画像を生成するクライアント装置と、クライアント装置から入力された前記画像を外部に出力するとともに、記憶部に前記画像を記憶し、記憶している前記画像を再び出力する画像処理装置とから構成された画像出力システムであって、画像処理装置は、前記画像中の特定領域がわからなくなるように特定領域を処理する画像処理部を備えたものである。そして、特定領域を処理した画像が記憶部に記憶される。
【０００７】
特定領域は、機密情報に関する画像を含む領域である。画像処理部が、この特定領域をわからないようにするために、特定領域に対して消去、塗りつぶし、置換等のような処理を行う。これにより、特定領域内の元の画像がわからないようになる。このように処理された画像が記憶部に記憶されるので、この画像が取り出されても、機密情報が漏洩しない。
【０００８】
画像処理装置は、記憶部に記憶している処理後の画像を出力するとき、特定領域を編集する再画像処理部を備えている。そして、編集後の画像が出力される。特定領域を編集することにより、特定領域内の画像は元の画像とは異なるものとなる。再画像処理部は、例えば特定領域に新たな画像を付加する編集を行う。したがって、機密情報を含まない画像を出力できる。
【０００９】
クライアント装置は、特定領域を指定するとともに処理方法を指定する指定部を備え、特定領域および処理方法に関する処理情報を画像とともに画像処理装置に出力する。画像処理装置は、記憶部に処理情報を記憶する。指定部は、画像中から機密情報を含む画像を検出して、この画像を含む領域を特定領域とする。このとき、特定領域に対して、どのような編集を行うかを決める。例えば、特定領域内の画像を消去する、新たな画像を付加する、画像を変形するといった処理を選択することにより、処理方法を指定する。
【００１０】
指定部は、決められたパターン画像が存在する領域を検出して、その領域を特定領域に指定する。これにより、パターン画像と同じ画像を含む特定領域を検出することができ、自動的に特定領域を指定できる。このとき、パターン画像に対して、処理方法を決めておくことにより、処理方法も自動的に指定できる。
【００１１】
再画像処理部は、特定領域を処理した画像に対し、指定された処理方法にしたがって特定領域を編集する。すなわち、再画像処理部は、特定領域に新たな画像を付加したり、画像を変形する。処理方法が消去の場合、再画像処理部は、特定領域に対して何もしない。
【００１２】
再画像処理部は、画像を再出力するとき、再出力に必要な画像を特定領域に付加する。再出力するときに必要な情報として、例えば日付、宛先、送信者等があげられる。再画像処理部は、この情報を表す画像を生成して、特定領域に付加する。
【００１３】
クライアント装置は、画像を表示する表示部を備え、指定部は、表示された画像において特定領域を指定し、特定領域の種類を決める。これにより、ユーザは画面を見て、特定領域を確認することができる。そして、特定領域内の画像が何を表すものであるかを判別できるので、特定領域の種類を決めることができる。
【００１４】
再画像処理部は、特定領域の種類に応じた処理方法にしたがって特定領域を編集する。ユーザは特定領域の種類を認識することにより、元の画像と同種の画像を付加する編集を行える。
【００１５】
入力された画像を外部に出力するとともに、記憶部に前記画像を記憶し、記憶している前記画像を再び出力する画像処理装置であって、入力された画像中の特定領域を処理する画像処理部と、記憶部に記憶している画像を出力するとき、特定領域を編集する再画像処理部とを備え、画像処理部により処理された画像を記憶部に記憶し、記憶部から読み出されて再画像処理部により編集された画像を出力する。これによって、画像処理装置単独で特定領域の処理および編集を行える。
【００１６】
特定領域および処理方法に関する処理情報が記憶部に記憶され、再画像処理部は、処理情報にしたがって、特定領域を編集する。例えば、画像処理部は、特定領域の画像を消去する処理を行い、再画像処理部は、特定領域に新たな画像を付加する。なお、特定領域の指定および処理方法の指定も画像処理装置において行う。
【発明の効果】
【００１７】
本発明によると、画像処理装置から出力した画像を記憶して、再利用する場合、この画像が機密情報を含む画像であっても、記憶される画像や再出力される画像には機密情報が含まれない。したがって、画像を再利用する場合に、機密情報が漏洩することを防止でき、セキュリティの高いシステムおよび画像処理装置を実現できる。
【発明を実施するための最良の形態】
【００１８】
本実施形態の画像出力システムを図１に示す。画像出力システムは、画像処理装置１と、パーソナルコンピュータ等のクライアント装置２とがＬＡＮ等のネットワークを通じて通信可能に接続されて構成される。ネットワークには、複数の画像処理装置１および複数のクライアント装置２が接続される。また、ネットワークはインターネットに接続されている。
【００１９】
クライアント装置２は、通信部３、表示部４、操作部５、記憶部６、画像形成部７および制御部８を備えた一般的なコンピュータである。制御部８は、操作部５からの入力操作に応じてワープロソフト等のアプリケーションを起動して、文書等のデータを作成する。記憶部６は、このデータを記憶する。画像形成部７は、プリンタドライバによりデータを画像に変換して、ジョブを生成する。通信部３は、ジョブを画像処理装置１に送信する。すなわち、クライアント装置２は、画像処理装置１に出力するための画像を生成する。
【００２０】
画像処理装置１は、コピー、プリント、スキャン、ファクシミリ通信およびドキュメントファイリングの各処理を実行するＭＦＰである。画像処理装置１は、スキャナ１１、画像処理部１２、プリント部１３、通信部１４、モデム１５、記憶部１６、操作部１７、表示部１８、制御部１９を備えている。スキャナ１１は、原稿を読み取って画像を入力する。画像処理部１２は、画像に対して所定の処理を行う。プリント部１３は、画像を記録シートに印刷する。通信部１４は、クライアント装置２や他の画像処理装置１とネットワークを通じて通信を行い、データを送受信する。モデム１５は、電話回線に接続され、ファクシミリ通信を行う。記憶部１６は、画像や各種の情報を記憶する。操作部１７は、入力操作を受け付け、表示部１８は、操作画面や各種のメッセージを表示する。制御部１９は、各部を制御して、指示された処理を実行する。
【００２１】
本画像処理装置１は、スキャナ１１あるいは通信部１４から入力された画像を記憶部１６に記憶して、印刷あるいは通信により外部に出力する。そして、記憶している画像を読み出して、再び印刷あるいは通信により外部に出力する。
【００２２】
例えば、クライアント装置２が画像処理装置１を通じてファクシミリ通信するＰＣ−ＦＡＸを行う場合、クライアント装置２は、生成した画像を画像処理装置１に出力する。なお、プリンタドライバが、ＰＣ−ＦＡＸ機能を有しているものとする。画像処理装置１は、この画像を入力して、指定された宛先にファクシミリ送信する。また、画像処理装置１は、入力された画像を記憶部１６に記憶する。その後、クライアント装置２からの指示あるいは操作部１７からの入力に応じて、記憶部１６から画像を読み出し、指定された宛先にファクシミリ送信する。
【００２３】
ところで、作成された画像には、宛先や送信者等の機密情報が含まれている場合がある。このような画像がそのまま記憶される、あるいは画像がそのまま再出力されると、機密情報が漏洩することになる。そこで、本画像処理装置１では、機密情報を含む画像や指定された写真、図、グラフ、表等の画像（これらを特定画像と称する）が存在する領域を特定領域として、画像中の特定領域を確定する。そして、特定領域がわからなくなるように処理し、この処理した画像を記憶する。また、記憶している画像を出力するとき、特定領域を編集して、この編集した画像を出力する。これにより、記憶される画像や出力される画像において、第３者には特定画像をわからない状態にすることができる。
【００２４】
クライアント装置２の制御部８は、特定領域を指定するとともに、画像の処理方法も指定する。そして、特定領域および処理方法に関する処理情報を作成する。処理情報は画像とともに画像処理装置１に出力される。すなわち、制御部８は、特定領域を指定するとともに処理方法を指定する指定部として機能する。処理方法としては、特定画像の消去、特定画像の塗りつぶし、特定画像を拡大縮小や装飾等の編集、特定画像を関係のない画像に変更する置換等があげられる。このような処理方法により、画像を再出力したとき、元の特定画像を判別不可能にすることができる。
【００２５】
画像処理装置１では、画像処理部１２が、処理情報に基づいて、特定領域を確定し、この領域に含まれる画像を処理する。また、画像処理部１２は、出力するときに特定領域を編集する。すなわち、画像処理部１２は、特定領域を編集する再画像処理部として機能する。
【００２６】
上記のように構成された画像出力システムにおいて、ＰＣ−ＦＡＸによりファクシミリ通信を行うときの手順を図２にしたがって説明する。クライアント装置２において、まずユーザは、送信したい画像を作成する（Ｓ１）。そして、ＰＣ−ＦＡＸを実行するための操作をする（Ｔ１）。制御部８は、プリンタドライバを起動し、図３に示すような宛先指定のユーザインターフェース（ＵＩ）画面を表示部４に表示する（Ｓ２）。ユーザは、ＦＡＸ番号、電子メールアドレス、ＩＰアドレスのいずれかを入力して、宛先を指定する（Ｔ２）。入力した宛先を追加する場合は、追加ボタンを操作する。追加された宛先が記憶部６に記憶され、宛先一覧に表示される。
【００２７】
次に、制御部８は、図４に示すような領域指定のユーザインターフェース画面を表示部４に表示する（Ｓ３）。この画面には、作成された画像が表示される。ユーザは、画面上で特定領域を選択して、手動で指定する。そして、特定領域に対する処理および名称を指定する（Ｔ３）。ここでは、処理として編集と消去の２つが選択可能とされる。名称は、指定した特定領域を識別するために付与される。例えば、特定画像が日時を表す文字列の画像であれば、「日付」とされ、特定画像が宛先を表す文字列の画像であれば、「名前」とされる。特定領域は１つに限らず、複数指定することができる。
【００２８】
特定領域の指定に関する他の形態として、処理方法の指定を自動的に行う。図５に示すような領域指定のユーザインターフェース画面が表示部４に表示される。ユーザは、画面上で特定領域を選択し、その特定領域の種類を選択する。特定領域の種類は予め設定されており、ユーザは複数の種類の中から該当する種類を選択する。例えば、種類として、「日付」、「名前」が設定されている。また、種類に対する処理方法も予め設定されている。「日付」に対しては編集、「名前」に対しては削除とされる。したがって、ユーザが特定領域に対する種類を選択すると、制御部８は、自動的に処理方法を指定する。これにより、ユーザの入力の手間が省ける。なお、「名前」に対する処理方法として、編集にしてもよい。
【００２９】
図４、５において、特定領域は点線で囲まれた領域である。ユーザは、画面に表示されているカーソルを移動させて、所望の領域を選択する。例えば、「２００７／０１／１５  １１：２３」の日時を表す文字列の特定画像を選択する。手動の場合、画面上の「編集」を指定し、特定領域の名称として「日付」を入力する。すると、画面に「日付（編集）」と表示される。自動の場合、「日付」を指定すると、画面に「日付」と表示される。そして、処理方法として編集が自動的に設定される。また、同様に、「●●様」の名前を表す文字列の特定画像を選択する。手動の場合、画面上の「消去」を指定し、「名前」を入力する。画面に「名前（消去）」と表示される。自動の場合、「名前」を指定すると、画面に「名前」と表示され、処理方法として消去が自動的に設定される。
【００３０】
また、特定領域の指定に関する他の形態として、特定領域および処理方法を自動的に指定する。制御部８は、画像中の特定画像を検索して、特定画像が存在する領域を検出し、その領域を特定領域に指定するとともに、特定領域の種類に応じて処理方法を指定する。
【００３１】
すなわち、特定画像を決められた画像パターンに基づいて検出する。図６（ａ）に示すように、文字列の最後に「様」、「殿」のような文字を含む画像パターンを「名前」として登録し、この画像パターンの処理方法を消去として登録する。ＦＡＸ番号のように文字列の最初が「０」で始まる画像パターンも「名前」として登録し、この画像パターンの処理方法を消去として登録する。これらの画像パターンは宛先とみなされる。
【００３２】
「ｙｙｙｙ／ＭＭ／ｄｄ」、「平成ｙｙ年ＭＭ月ｄｄ日」のような画像パターンを「日付」として登録し、処理方法として編集を登録する。なお、画像パターンとしては、上記のものに限らず、数字からなる文字列の桁数や、数字とハイフンとの組み合わせ、宛先のように独立して存在する文字列等としてもよい。
【００３３】
図６（ｂ）に示すような領域指定のユーザインターフェース画面が表示部４に表示される。このとき、制御部８は、画像パターンとのパターンマッチングにより、画像中の特定画像の有無を検索する。画像パターンと一致する特定画像を検出すると、特定画像によって構成される文字列を含む領域を特定し、特定領域として指定する。同時に、一致した画像パターンに基づいて処理方法を指定する。このようにして自動的に指定された複数の特定領域が画面上に点線で囲まれて表示され、各特定領域に対する処理方法が表示される。ここで、ユーザは、表示された画面により指定された特定領域を確認することができる。そして、ユーザが特定領域の追加や削除を行うことにより、指定を変更することが可能となる。
【００３４】
特定領域および処理方法の指定後、制御部８は、特定領域および処理方法に関する処理情報を作成する。処理情報は、図７に示すように、特定領域の数、種類、処理方法、位置およびサイズを含む。処理情報は、指定された宛先とともにヘッダ情報に付加される。画像形成部７は、このヘッダ情報と画像データとによりジョブを生成し、通信部３を通じて画像処理装置１にジョブを送信する（Ｓ４）。
【００３５】
画像処理装置１では、通信部１４を通じてジョブを受け取る。制御部１９は、ジョブの画像を記憶部１６に一時的に記憶する。画像処理部１２は、メモリに画像を展開し、ファクシミリ送信データフォーマットに変換する。制御部１９は、モデム１５を通じて指定された宛先に画像をファクシミリ送信する（Ｓ５）。インターネットＦＡＸの場合には、制御部１９は、電子メールに画像を添付して、通信部１４を通じて他のクライアント装置２に送信する。
【００３６】
また、制御部１９は、ジョブを受け取ったとき、ヘッダ情報に処理情報が含まれているかをチェックする（Ｓ６）。処理情報が含まれているとき、制御部１９は、処理情報を読み込み（Ｓ７）、画像処理部１２に処理を指示する。画像処理部１２は、特定領域を確定して、図８に示すように、特定領域内の特定画像を消去する処理を行う（Ｓ８）。特定領域が複数あるときは、全ての特定領域内の特定画像を消去する。
【００３７】
制御部１９は、図９に示すように、処理情報を記憶部１６の領域情報テーブルに書き込むことによって、処理情報を記憶する（Ｓ９）。また同時に、図１０に示すように、処理した後の画像を画像ファイルとして記憶部１９に記憶する（Ｓ１０）。領域情報テーブルでは、処理情報がファイル名ａ．ｔｉｆの画像ファイルに関連付けられて管理される。なお、処理情報が含まれていない場合、制御部１９は、送信した画像を記憶部１６に記憶する。
【００３８】
その後、ユーザの操作に応じてクライアント装置２が記憶されている画像を指定して、再送信の指示を行う、あるいはユーザが画像処理装置１の操作部１７を操作し、記憶されている画像を指定して、再送信の指示を行う（Ｔ４）。制御部１９は、記憶部１６から処理情報を読み込む（Ｓ１１）。
【００３９】
指定された画像に対して、処理方法が編集とされた処理情報がある（Ｓ１２）と、制御部１９は、図１１に示すような入力ユーザインターフェース画面を表示する（Ｓ１３）。特定領域の種類が「日付」であるので、日付を入力するように案内画面が表示される。ユーザは、特定領域の種類によって、特定画像がどのような画像であるのか認識することができる。したがって、特定領域に異質な文字列等の画像が付加されることを防止できる。
【００４０】
ユーザが日付を入力する（Ｔ５）と、画像処理部１２は、特定領域内に日付に応じた文字列の画像を付加する。制御部１９は、編集された画像を表示部１８に表示する（Ｓ１４）。ここで、ユーザが日付を入力する代わりに、制御部１９が自動的に現在の日付を入力するようにしてもよい。全ての特定領域に対する編集の処理が終了すると、画像処理部１２は、編集後の画像を一時的に記憶部１６に記憶する。
【００４１】
指定された画像に対して、処理方法が編集とされた処理情報がない場合、あるいは処理情報のない画像の場合、制御部１９は、記憶されていた画像をそのまま表示する。
【００４２】
続いて制御部１９は、図１２に示すような宛先指定のユーザインターフェース画面を表示部１８に表示する（Ｓ１５）。ユーザは希望する宛先を入力する（Ｔ６）。他の宛先にも送信する場合は、追加により入力する。また、クライアント装置２からの再送信の指示の場合、クライアント装置２は、入力された宛先情報を送信する。制御部１９は、この宛先情報にしたがって宛先を設定する。
【００４３】
そして、画像処理部１２は、メモリに画像を展開し、ファクシミリ送信データフォーマットに変換する。制御部１９は、モデム１５を通じて指定された宛先に画像をファクシミリ送信する（Ｓ１６）。
【００４４】
これによって、画像を再送信するとき、個人情報等の機密情報を含まない画像を送信できる。また、記憶されている画像においても、機密情報が消去された画像が記憶されるので、第３者が不正にアクセスして画像を取り出しても、機密情報が漏洩することはない。
【００４５】
上記では、ＰＣ−ＦＡＸを行う場合について説明したが、これ以外に画像処理装置１における画像の出力として、プリントの場合、クライアント装置２から入力された画像を記録シートに印刷することにより、外部に出力する。スキャンの場合、スキャナ１１により読み取って入力した画像を記憶部１６に記憶する。記憶した画像をクライアント装置２あるいは他の画像処理装置１に送信することにより、外部に出力する。ドキュメントファイリングの場合、スキャナ１１により読み取った画像、あるいはクライアント装置２から入力された画像を記憶部１６に記憶する。そして、記憶した画像を印刷する、あるいはデータ送信することにより、外部に出力する。
【００４６】
これらの処理において、画像処理装置１は、画像を記憶部１６に記憶する。そして、この画像を再び出力する。そこで、上記の処理を行う場合にも同様に、画像中の特定領域を処理して、処理した画像を記憶する。そして、特定領域を編集して、編集後の画像を出力する。したがって、画像処理装置１が機密情報を含む画像を処理した後、この画像を再利用する場合、画像から機密情報は削除されているので、機密情報の漏洩を防止できる。
【００４７】
なお、本発明は、上記実施形態に限定されるものではなく、本発明の範囲内で上記実施形態に多くの修正および変更を加え得ることは勿論である。特定領域の処理および編集は、画像処理装置単体で行ってもよい。画像処理装置において、スキャンにより画像を記憶する場合、スキャンして入力した画像をファクシミリ送信し、この画像を記憶する場合に適用できる。すなわち、画像処理装置の画像処理部は、入力された画像中の特定領域を処理する。処理された画像は記憶部に記憶される。そして、画像処理部は、記憶部に記憶している画像を出力するとき、特定領域を編集する。編集された画像は出力される。制御部は、特定領域を指定するとともに処理方法を指定する。画像処理部の機能および制御部の指定機能は、上記実施形態と同じである。
【００４８】
また、画像を記憶する記憶部は、画像処理装置に搭載された記憶部に限らず、外部の記憶部であってもよい。すなわち、画像処理装置にネットワークを通じて接続されたファイルサーバを記憶部としてもよい。画像処理装置は、入力された画像を記憶部に送信し、記憶部は、受信した画像を記憶する。画像を出力するとき、記憶部は、画像を画像処理装置に送信し、画像処理装置は、受信した画像を出力する。
【図面の簡単な説明】
【００４９】
【図１】本発明の画像出力システムの概略構成を示す図
【図２】ファクシミリ送信した画像を再送信するときのシーケンスを示す図
【図３】宛先の入力画面を示す図
【図４】特定領域を指定するための入力画面を示す図
【図５】他の形態の特定領域を指定するための入力画面を示す図
【図６】（ａ）登録された画像パターン例を示す図、（ｂ）他の形態の特定領域を指定するための入力画面を示す図
【図７】処理情報を含むジョブのデータ内容の一例を示す図
【図８】処理前後の画像を示す図
【図９】受け取ったジョブから作成した領域情報テーブルの一例を示す図
【図１０】処理後の画像を画像ファイルとして記憶部に記憶することを示す図
【図１１】日付の入力画面および日付が付加された画像を示す図
【図１２】再送信時の宛先の入力画面を示す図
【符号の説明】
【００５０】
１    画像処理装置
２    クライアント装置
３    通信部
４    表示部
５    操作部
６    記憶部
７    画像形成部
８    制御部
１１    スキャナ
１２    画像処理部
１３    プリント部
１４    通信部
１５    モデム
１６    記憶部
１７    操作部
１８    表示部
１９    制御部
【図１】
2008294521.tif 000003
【図２】
2008294521.tif 000004
【図３】
2008294521.tif 000005
【図４】
2008294521.tif 000006
【図５】
2008294521.tif 000007
【図６】
2008294521.tif 000008
【図７】
2008294521.tif 000009
【図８】
2008294521.tif 000010
【図９】
2008294521.tif 000011
【図１０】
2008294521.tif 000012
【図１１】
2008294521.tif 000013
【図１２】
2008294521.tif 000014